【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
ナレッジ交換プロファイルを作成する方法であって、
前記方法は、
関心項目を識別する少なくとも１つのプログラムを用いてユーザインタラクションを監視するためにコンピュータを使用するステップと、
前記関心項目により、前記ユーザの関心、前記ユーザが通信した個人、および前記個人との通信が行った話題を識別する前記ナレッジ交換プロファイルを作成するステップと、
を含み、
前記ナレッジ交換プロファイルを作成するステップは、前記関心項目の各々について、ソーシャルネットワークの分析を実行するステップをさらに含み、
前記ソーシャルネットワークの分析を実行するステップは、
前記関心項目に関係する連絡先を識別するステップと、
前記関心項目と各個人の関係および前記関心項目内の前記各個人に対応する名前の場所を含むグループの少なくとも１人のメンバーに少なくとも基づく社会的重みを、前記関心項目に関係する各連絡先について作成するステップと、
前記連絡先の全体数の増加に応じて社会的重みが減少すること、およびユーザと前記連絡先の間の時間の関数に応じて社会的重みが減少することの少なくとも1つを含む、前記各連絡先について社会的重みを正規化するステップと、
を含むことを特徴とする方法。
【請求項２】
前記少なくとも１つのプログラムは、ワードプロセシングアプリケーションプログラムを含み、
前記関心項目は、前記ワードプロセシングアプリケーションプログラムを使用する前記ユーザにより開かれた、および前記ワードプロセシングアプリケーションプログラムを使用する前記ユーザにより作成された、少なくとも一方である文書を含む
ことを特徴とする請求項１に記載の方法。
【請求項３】
前記少なくとも１つのプログラムは、スプレッドシートアプリケーションプログラムを含み、
前記関心項目は、前記スプレッドシートアプリケーションプログラムを使用する前記ユーザにより開かれた、および前記スプレッドシートアプリケーションプログラムを使用する前記ユーザにより作成された、少なくとも一方である文書を含む
ことを特徴とする請求項１に記載の方法。
【請求項４】
前記少なくとも１つのプログラムは、プレゼンテーションアプリケーションプログラムを含み、
前記関心項目は、前記プレゼンテーションアプリケーションプログラムを使用する前記ユーザにより開かれた、および前記プレゼンテーションアプリケーションプログラムを使用する前記ユーザにより作成された、少なくとも一方である文書を含む
ことを特徴とする請求項１に記載の方法。
【請求項５】
前記少なくとも１つのプログラムは、個人情報管理アプリケーションプログラムを含み、
前記ユーザインタラクションを監視するステップは、前記個人情報管理アプリケーションプログラムを使用する前記ユーザにより送信された、および前記個人情報管理アプリケーションプログラムを使用する前記ユーザにより受信された、少なくとも一方である電子メールメッセージを識別するステップを含む
ことを特徴とする請求項１に記載の方法。
【請求項６】
前記少なくとも１つのプログラムは、インスタントメッセージングのアプリケーションプログラムを含み、
前記ユーザインタラクションを監視するステップは、前記インスタントメッセージングのアプリケーションプログラムを使用する前記ユーザにより送信された、および前記インスタントメッセージングのアプリケーションプログラムを使用する前記ユーザにより受信された、少なくとも一方であるインスタントメッセージを識別するステップを含む
ことを特徴とする請求項１に記載の方法。
【請求項７】
前記少なくとも１つのプログラムは、オペレーティングシステムプログラムを含み、
前記関心項目は、前記オペレーティングシステムプログラムを使用する前記ユーザにより作成されたフォルダの名前または前記オペレーティングシステムプログラムを使用する前記ユーザにより作成されたファイルの名前の少なくとも一方を含む
ことを特徴とする請求項１に記載の方法。
【請求項８】
前記少なくとも１つのプログラムは、ウェブブラウザプログラムを含み、
前記関心項目は、前記ウェブブラウザプログラムを使用する前記ユーザにより閲覧された文書を含む
ことを特徴とする請求項１に記載の方法。
【請求項９】
前記ナレッジ交換プロファイルを作成するステップは、各関心項目に対して、
関心の分析を実行するステップと、
名詞句の分析を実行するステップと
をさらに含むことを特徴とする請求項１に記載の方法。
【請求項１０】
前記関心の分析を実行するステップは、
前記関心項目内のキーワードを識別するステップと、
前記キーワードの各々に関心の重み値を割り当てるステップと、
前記関心項目内の前記キーワードの位置により前記各キーワードの前記関心の重み値を調節するステップと、
前記関心項目中の前記キーワードの発生回数により前記各キーワードの前記関心の重み値を調節するステップと、
予め定められた値より大きくない前記関心の重み値を有するキーワードの１つを削除するステップと
を含むことを特徴とする請求項９に記載の方法。
【請求項１１】
前記関心の分析を実行するステップは、前記名詞句の分析に使用するために、前記各キーワードの前後の単語を記憶するステップを含むことを特徴とする請求項１０に記載の方法。
【請求項１２】
前記名詞句の分析を実行するステップは、
前記関心項目内で他の単語と連係して反復されるキーワードを識別することによって名詞句を識別するステップと、
前記関心項目内で他の単語と連係して使用される前記キーワードの位置により名詞句を識別するステップと
を含むことを特徴とする請求項１１に記載の方法。
【請求項１３】
前記ユーザとの非対称関係により前記連絡先の１つを削除するステップをさらに備えたことを特徴とする請求項１２に記載の方法。
【請求項１４】
プログラム要素により前記キーワードの１つを削除するステップをさらに備えたことを特徴とする請求項１３に記載の方法。
【請求項１５】
前記プログラム要素は、整合性要素、普及指標、フォルダ要素、および配布リストを人と同一視することを含むことを特徴とする請求項１４に記載の方法。
【請求項１６】
前記ナレッジ交換プロファイルは、前記キーワード、前記名詞句、および前記連絡先を含むことを特徴とする請求項１５に記載の方法。
【請求項１７】
前記連絡先の各々は、前記ユーザと前記連絡先との間の通信から抽出され、前記連絡先に関連付けられる１組のキーワードを含むことを特徴とする請求項１６に記載の方法。
【請求項１８】
前記ユーザが前記話題の１つのエキスパートかどうかを決定するために前記ナレッジ交換プロファイルを使用するステップをさらに含むことを特徴とする請求項１に記載の方法。
【請求項１９】
実行されるとナレッジ交換プロファイルを作成する方法を実施する、命令のセットが格納されたコンピュータ読取り可能な媒体であって、
前記命令のセットによって実行される方法は、
１つまたは複数の関心項目を識別する少なくとも１つのプログラムを用いてユーザインタラクションを監視するステップと、
前記関心項目により、前記ユーザの関心、前記ユーザが通信した個人、および前記個人との通信が行った話題を識別する前記ナレッジ交換プロファイルを作成するステップと、
を含み、
前記ナレッジ交換プロファイルを作成するステップは、前記各関心項目について、関心の分析を実行するステップを含み、
前記関心の分析を実行するステップは、
前記関心項目内のキーワードを識別するステップと、
前記キーワードの各々に重み値を決定するステップであって、前記重み値の決定においては、前記関心項目においてより遅く現れるキーワードに与えられる重みが前記関心項目においてより早く現れるキーワードに与えられる重みよりも低い前記関心項目内の前記キーワードの場所、前記関心項目における各キーワードの発生回数、前記キーワードの発生間の時間を考慮するステップと、
予め決定された値よりも大きくない値を有するキーワードを削除するステップと、
を含むことを特徴とするコンピュータ読取り可能な媒体。
【請求項２０】
ナレッジ交換プロファイルを作成するシステムであって、
前記システムは、
メモリ記憶装置と、
前記メモリ記憶装置に接続された処理ユニットと、
を有し、
前記処理ユニットは、
関心項目を識別する少なくとも1つのプログラムを用いてユーザインタラクションを監視し、
前記関心項目により、前記ユーザの関心、前記ユーザが通信した個人、および前記個人との通信が行った話題を識別するナレッジ交換プロファイルを作成し、
前記ナレッジ交換プロファイルを作成するよう動作する処理ユニットは、各関心項目について名詞句の分析を行うよう動作する処理ユニットを含み、
前記名詞句の分析を行うよう動作する前記処理ユニットは、
前記関心項目内で、各前記キーワードに隣接して出現する他の単語と連係して反復されるキーワードを識別することによって名詞句を識別し、
前記関心項目内で、前記他の単語と連係して利用されるキーワードの場所に基づいて前記名詞句を識別し、
名詞句を正規化し、
前記名詞句の正規化は、前記名詞句の全体数の増加に応じて名詞句に与えられる重みが減少すること、および前記名詞句の発生する間の時間の関数に応じて前記重みが減少することの少なくとも1つを含むよう動作する、
ことを特徴とするシステム。